(57)【要約】      （修正有）【課題】携帯型情報機器を利用して、大人と子供が一緒に楽しめる絵本を提供する。【解決手段】本絵本は、表示画面を有する携帯型情報機器を挿入するための挿入口２０と、挿入口２０から挿入された携帯型情報機器を保持する保持手段１０，１１，１５，１６，１７，１８と、挿入口２０から挿入されて保持手段に保持された携帯型情報機器の表示画面を露出するよう紙葉１９に設けられた表示画面窓２１とを備えている。【選択図】図１
0003158920.tif 000002
【実用新案登録請求の範囲】
【請求項１】
表示画面を有する携帯型情報機器を挿入するための挿入口と、
前記挿入口から挿入された携帯型情報機器を保持する保持手段と、
前記挿入口から挿入されて前記保持手段に保持された携帯型情報機器の表示画面を露出するよう紙葉に形成された表示画面窓と、
を備えたことを特徴とする絵本。
【請求項２】
前記挿入口は絵本の上方に設けられており、
前記保持手段は、見開き状態で左下に角が位置するよう配置されたＬ字形状の左側保持部材と、前記左側保持部材の表面に接着された左側見返しと、前記左側保持部材の裏面に接着された左側表紙と、見開き状態で右下に角が位置するよう配置された逆Ｌ字形状の右側保持部材と、前記右側保持部材の表面に接着された右側見返しと、前記右側保持部材の裏面に接着された右側表紙とで構成されている
ことを特徴とする請求項１に記載の絵本。
【請求項３】
前記左側表紙と前記右側表紙の間に背表紙が設けられ、
該背表紙と前記左側表紙及び前記右側表紙とのそれぞれの間には折り返しが設けられ、
前記背表紙の裏側と紙葉の綴じ部とは接着されておらず、
前記左側表紙と前記右側表紙とを閉じたときに、前記背表紙の裏側と紙葉の綴じ部とが接触する
ことを特徴とする請求項２に記載の絵本。
【考案の詳細な説明】
【技術分野】
【０００１】
本考案は、絵本に関するものである。
【背景技術】
【０００２】
近年の携帯型情報機器は、大画面の表示装置、高速の情報処理プロセッサ、大容量の記憶装置を備えている。また、携帯型情報機器で実行するための多様なソフトウェアが提供されている。このような携帯型情報機器の基本機能は、例えば携帯電話であったり、オーディオやビデオ情報を記憶して再生するマルチメディア機器であったり、あるいは超小型のモバイルコンピュータであったりするが、いずれにしてもこの情報機器はソフトウェアを実行する機能を有し、様々なアプリケーションプログラムを実行することができる。本考案に関連する先行技術として、以下の特許文献１がある。
【先行技術文献】
【特許文献】
【０００３】
【特許文献１】特開２００６−１３０７０９
【考案の概要】
【考案が解決しようとする課題】
【０００４】
昨今、このような高機能の携帯型情報機器は、高機能を志向する特殊なユーザだけでなく、提供されるアプリケーションェアの多様化に伴って、その利用者が一般ユーザへと着実に広がっている。しかしながら、従来の携帯型情報機器は依然として大人向けの機器といえる。子供向けのソフトウェアが充実してきたとしても、従来の携帯型情報機器のハードウェアは、子供にとっては味気ないものであり、この携帯型情報機器自体が子供の興味を引くことは困難である。一方で、従来の携帯型情報機器のハードウェアを子供向けにデザインすれば、子供の興味は引けるが、大人が使用するにはふさわしくなくなる。そして、このような高機能かつ高価な情報機器を子供専用のものとすることも経済的ではない。
【０００５】
本考案は、このような携帯型情報機器を利用して、大人と子供が一緒に楽しむことを目的とする。
【課題を解決するための手段】
【０００６】
本考案は、改良された絵本を提供する。本考案の絵本は、表示画面を有する携帯型情報機器を挿入するための挿入口と、前記挿入口から挿入された携帯型情報機器を保持する保持手段と、前記挿入口から挿入されて前記保持手段に保持された携帯型情報機器の表示画面を露出するよう紙葉に形成された表示画面窓とを備えている。
【０００７】
本考案の絵本において、前記挿入口は絵本の上方に設けられており、前記保持手段は、見開き状態で左下に角が位置するよう配置されたＬ字形状の左側保持部材と、前記左側保持部材の表面に接着された左側見返しと、前記左側保持部材の裏面に接着された左側表紙と、見開き状態で右下に角が位置するよう配置された逆Ｌ字形状の右側保持部材と、前記右側保持部材の表面に接着された右側見返しと、前記右側保持部材の裏面に接着された右側表紙とで構成されている。
【０００８】
本考案の絵本において、前記左側表紙と前記右側表紙の間に背表紙が設けられ、該背表紙と前記左側表紙及び前記右側表紙とのそれぞれの間には折り返しが設けられ、前記背表紙の裏側と紙葉の綴じ部とは接着されておらず、前記左側表紙と前記右側表紙とを閉じたときに、前記背表紙の裏側と紙葉の綴じ部とが接触する。
【考案の効果】
【０００９】
本考案の絵本によれば、子供は携帯型情報機器で実行されるアプリケーションを絵本と一体的に楽しむことができ、大人が絵本に挿入された携帯型情報機器を子供と一緒に操作することで、大人と子供が一緒に楽しむことができる。
【図面の簡単な説明】
【００１０】
【図１】本考案の実施の形態の絵本（開いた状態）の斜視図
【図２】本考案の実施の形態の絵本（閉じた状態）の斜視図
【図３】本考案の実施の形態の絵本に携帯型情報機器を挿入する様子を示す図
【図４】本考案の実施の形態の絵本に携帯型情報機器が挿入された状態を示す図
【考案を実施するための形態】
【００１１】
以下、本考案の実施の形態の絵本について、図面を用いて説明する。図１は、本考案の実施の形態の絵本１の斜視図である。図１は、絵本を開いた状態を示している。また、図１では、絵本１の一部の構成を透視して示している。なお、絵本１について、「右」、「左」という用語は、図１のように絵本１を開いた状態での左右を指す。
【００１２】
絵本１は、左側表紙１０と、右側表紙１１と、背表紙１２とを備えている。本実施の形態の絵本１は左開きであるので、左側表紙１０は表表紙となり、右側表紙１１は裏表紙となる。なお、絵本１が右開きである場合は、左側表紙１０は裏表紙となり、右側表紙１１は表表紙となる。左側表紙１０と背表紙１２は、左側折り返し１３を介して連続しており、右側表紙１１と背表紙１２は、右側折り返し１４を介して連続している。
【００１３】
左側表紙１０の裏（図１の紙面手前側）には、右上部分が欠けており、左下に角が位置するよう配置されたＬ字形状の左側保持部材１５が接着されている。右側表紙１１の裏（図１の紙面手前側）には、左上部分が欠けており、右下に角が位置するよう配置されたた逆Ｌ字形状の右側保持部材１６が接着されている。左側保持部材１５と右側保持部材１６とは絵本１の中心に対して線対称である。左側保持部材１５の表面（図１の紙面手前側）には、左側見返し１７が接着されており、右側保持部材１６の表面（図１の紙面手前側）には、右側見返し１８が接着されている。
【００１４】
本実施の形態の絵本１の紙葉１９は４枚あり、見返しも頁数に数えると、絵本１は、見開きで５頁となる。４枚の紙葉１９は、絵本１の中央の綴じ部にて互いに接着され、かつ見返し１７，１８と接着している。この見返し１７，１８及び複数の紙葉１９の綴じ部は、背表紙１２、左側表紙１０、右側表紙１１とは接着されていない。これにより、絵本１を図１のように開いた状態で、見返し１７，１８及び複数の紙葉１９の綴じ部は、背表紙１２、左側表紙１０及び右側表紙１１とは、保持部材１５，１６の厚みの分だけ離れている。
【００１５】
絵本１では、上記の構成によって、見開き状態で、上方に開口２０が形成される。この開口２０は、携帯型情報機器を挿入するための挿入口となる。開口２０の横幅及び奥行きの大きさは、挿入すべき携帯型情報機器の大きさに合わせて設計される。
【００１６】
絵本１を開いた状態で、見開きの中央に、開口２０から挿入された携帯型情報機器の表示画面を見開きページ上に露出するための表示画面窓２１が形成される。見返し１７，１８と複数の紙葉１９は、表示画面窓２１を形成するために、綴じ部側の一部を欠いた横向き凹字形状に形成される。この表示画面窓２１の形状も、挿入すべき携帯型情報機器の表示画面の形状に合わせて設計される。
【００１７】
絵本１において、左側表紙１０は、左側見返し１７と同じ形状を有する。一方、右側表紙１１の横幅は、右側見返し１８の形状（左側表紙１０及び左側見返し１７と同一形状）よりも若干狭くなっている。これにより、図１のように絵本１を開いた状態で、左側表紙１０から折り返し１３への折り返し部分と、右側表紙１１から折り返し１４への折り返し部分との間は若干離れており、左側表紙１０と右側表紙１１とが中央部分で互いに干渉することなく絵本１を開くことができる。なお、左側表紙１０、右側表紙１１、左側保持部材１５、右側保持部材１６、左側見返し１７及び右側見返し１８が本考案の保持手段に相当する。
【００１８】
図２は、絵本１を閉じた状態を示す斜視図である。本実施の形態では、左側折り返し１３が背表紙の一部となる。また、右側折り返し１４は、背表紙１２に近い部分は背表紙の一部となり、右側表紙１１に近い部分は右側表紙１１とともに裏表紙の一部となる。また、このとき、背表紙１２の裏側（図１の紙面手前側）は、見返し１７，１８及び複数の紙葉１９の綴じ部に裏側から当接する。このような構成により、絵本１を綴じたときに、表表紙に折り目が現れず、良好な外観が確保できる。また、絵本１を閉じた状態で背表紙１２が見返し１７，１８及び複数の紙葉１９の綴じ部の裏側に押し当てられて左側表紙（表表紙）１０及び右側表紙（裏表紙）１１と直角になるので、背表紙の外観も良好となる。
【００１９】
次に、絵本１の使用例を説明する。絵本１は、そこに携帯型情報機器５０を挿入して使用する。まず、携帯型情報機器５０について説明する。携帯型情報機器５０の表側の面は、表示画面５１及び外枠５２からなる。表示画面５１はタッチパネルとなっている。外枠５２にはスピーカ５３とボタン５４が設けられている。携帯型情報機器５０は、ジャイロセンサを内蔵しており、携帯型情報機器５０の姿勢や加速を感知できる。また、携帯型情報機器５０には、電話、データ通信、マルチメディア再生等の各種の機能を備えており、絵本１に挿入して使用するときは、専用のアプリケーションを実行させる。
【００２０】
図３は、絵本１に携帯型情報機器５０を挿入する様子を示す図である。ユーザは、まず携帯型情報機器５０の電源を投入して、絵本１の開口部２０から携帯型情報機器５０を、その表示画面が前を向くようにして挿入する。このとき、絵本１は、図１に示したように、見開きの状態にする。
【００２１】
図４は、絵本に携帯型情報機器が挿入された状態を示す図である。携帯型情報機器５０を絵本１に挿入すると、ユーザは、表示画面窓２１から露出した携帯型情報機器５０の表示画面５１のタッチパネルを用いて携帯型情報機器５０を操作する。携帯情報機器５０には、絵本１の見開きページの内容に関連したアプリケーションが記憶されている。ユーザは、アプリケーションを開始した後、アプリケーションに対応するページを開く。アプリケーションの内容と、そのアプリケーションに対応して開く絵本１の見開きページに描かれた内容との対応関係の例を説明する。
【００２２】
第１の例は、絵本１の見開きページに描かれた絵と、挿入された携帯型情報機器５０の表示画面５１に表示される画像又は動画像とを連続させる。例えば、絵本１の見開きページにキャラクタを描き、そのキャラクタの手の部分を表示画面窓２１に位置させる。携帯型情報機器５０は、表示画面５１でキャラクタの手の部分を動画として表示し、絵本１に描かれたキャラクタの手となるようにする。第２の例は、絵本１の見開きページには、表示画面窓２１がちょうど電車の窓になるように電車内の絵が描かれており、携帯型情報機器５０の表示画面５１に車窓を流れる景色を表示する。第３の例は、絵本１の見開きページには、表示画面窓２１がちょうど潜水艦の窓になるように潜水艦内の絵が描かれており、携帯型情報機器５０の表示画面５１に潜水艦の窓から見た水中の様子を表示する。第４の例は、絵本１の見開きページには、表示画面窓２１がちょうど宇宙船の窓になるように宇宙船内の絵が描かれており、携帯型情報機器５０の表示画面５１に宇宙船の窓から見た宇宙の様子を表示する。これらの場合に、タッチパネルやジャイロセンサを利用して、ゲームを取り入れるようにしてもよい。
【００２３】
本実施の形態の絵本によれば、大人向けのデザインが採用されている携帯型情報機器５０の表示画面５１に子供が興味を引くコンテンツを表示させるとともに、そのコンテンツを子供が興味を引く絵本の内容の一部とすることができるので、子供が携帯型情報機器５０のアプリケーションを楽しむことができる。
【００２４】
また、子供にとっては、比較的小さな携帯型情報機器５０をそのまま手にとって使用するよりも、携帯型情報機器５０をある程度の大きさを有する絵本１に挿入したほうが持ちやすい。さらに、子供が携帯型情報機器５０をそのまま手にとって使用すると、誤って落下させるなどして携帯型情報機器５０の故障の原因になるが、本実施の形態の絵本１によれば、携帯型情報機器５０が挿入された絵本１を誤って落下させてしまった場合にも、絵本１が緩衝材となり、携帯型情報機器５０が壊れにくい。
【００２５】
さらに、本実施の形態の絵本によれば、タッチパネルやジャイロセンサを用いたゲームのアプリケーションを、大人と子供が一緒になって楽しむことができる。
【産業上の利用可能性】
【００２６】
以上のように、本考案に係る絵本は、絵本のコンテンツと携帯型情報機器のアプリケーションを融合させて楽しむことができる絵本等として有用である。
【符号の説明】
【００２７】
１０  左側表紙
１１  右側表紙
１２  背表紙
１３  左側折り返し
１４  右側折り返し
１５  左側保持部材
１６  右側保持部材
１７  左側見返し
１８  右側見返し
１９  紙葉
２０  開口
２１  表示画面窓
５０  携帯型情報機器
５１  表示画面
５２  外枠
５３  スピーカ
５４  ボタン
【図１】
0003158920.tif 000003
【図２】
0003158920.tif 000004
【図３】
0003158920.tif 000005
【図４】
0003158920.tif 000006